(57)【要約】【課題】被検者の異なる複数の体位に応じてＸ線管の撮影エリアを切り替えて撮影を行うＸ線撮影装置において、撮影作業の効率を高め、撮影に要する時間を短縮する。【解決手段】Ｘ線管１を、臥位撮影エリアと立位撮影エリアとに切り替えて撮影を行うＸ線撮影装置において、撮影開始時にＸ線管がどの撮影エリアにあるかを検出するとともに、ジョブメモリ部２２に予め登録された撮影メニューを読み出し、当該撮影メニューに含まれる複数のショットの撮影順序を、撮影開始時のＸ線管の撮影エリアに対応するショットから順に実行されるように並び替え、ジョブメモリ部に登録し直す撮影順序変更部２３が備えられる【選択図】図１
2010220817.tif 000002
【特許請求の範囲】
【請求項１】
被検者にＸ線を照射するＸ線管と、
前記Ｘ線管を、被検者の異なる撮影体位に対応する複数の撮影エリアの間において移動可能に支持するＸ線管支持部と、
前記Ｘ線管支持部に設けられた、前記Ｘ線管の位置を検出する位置検出部と、
前記Ｘ線管に対して管電圧および管電流を供給する高電圧発生部と、
前記複数の撮影エリアにおいてそれぞれ前記Ｘ線管に対向して配置され、前記被検者を透過するＸ線を検出し、前記被検者の透視像の画像信号を出力する複数のＸ線検出器と、
前記複数のＸ線検出器をそれぞれ支持するＸ線検出器支持部と、
被検者の複数のショットおよびそれらのショットの撮影順序を指定する撮影メニューの入力を受ける撮影メニュー入力部と、
前記撮影メニューが登録されるジョブメモリ部と、
前記位置検出部からの検出信号に基づき、撮影開始時に前記Ｘ線管がどの前記撮影エリアにあるかを検出するとともに、前記ジョブメモリ部に登録された前記撮影メニューを読み出し、当該撮影メニューに含まれる前記複数のショットの撮影順序を、前記撮影開始時の前記Ｘ線管の撮影エリアに対応するショットから順に実行されるように並び替え、前記ジョブメモリ部に登録し直す撮影順序変更部と、を備えたことを特徴とするＸ線撮影装置。
【請求項２】
被検者にＸ線を照射するＸ線管と、
前記Ｘ線管を、被検者の異なる撮影体位に対応する複数の撮影エリアの間において移動可能に、かつ、各撮影エリアにおいて、前記被検者の異なる撮影部位および撮影方向に対応して旋回および移動可能に支持するＸ線管支持部と、
前記Ｘ線管支持部に設けられた、前記Ｘ線管の位置を検出する位置検出部と、
前記Ｘ線管に対して管電圧および管電流を供給する高電圧発生部と、
前記複数の撮影エリアにおいてそれぞれ前記Ｘ線管に対向して配置され、前記被検者を透過するＸ線を検出し、前記被検者の透視像の画像信号を出力する複数のＸ線検出器と、
前記複数のＸ線検出器をそれぞれ支持するＸ線検出器支持部と、
被検者の撮影体位、撮影部位および撮影方向の異なる組み合わせからなる複数のショットおよびそれらのショットの撮影順序を指定する撮影メニューの入力を受ける撮影メニュー入力部と、
前記撮影メニューが登録されるジョブメモリ部と、
前記位置検出部からの検出信号に基づき、撮影開始時に前記Ｘ線管がどの前記撮影エリアにあるかを検出するとともに、前記ジョブメモリ部に登録された前記撮影メニューを読み出し、当該撮影メニューに含まれる前記複数のショットの撮影順序を、前記撮影開始時の前記Ｘ線管の撮影エリアに対応するショットから順に実行されるように並び替え、前記ジョブメモリ部に登録し直す撮影順序変更部と、を備えたことを特徴とするＸ線撮影装置。
【請求項３】
前記Ｘ線検出器支持部に設けられた、前記複数のＸ線検出器のそれぞれの位置を検出するための複数の第２の位置検出部を備え、前記撮影順序変更部は、前記位置検出部および前記第２の位置検出部からの検出信号に基づき、前記撮影開始時に、前記Ｘ線管が、どの前記撮影エリアにおいて、どの前記撮影部位をどの前記撮影方向から撮影する位置にあるかを検出するとともに、前記ジョブメモリ部から読み出した前記撮影メニューに含まれる前記複数のショットの撮影順序を、前記撮影開始時の前記Ｘ線管の位置に対応するショットから順に実行されるように並び替え、前記ジョブメモリ部に登録し直すことを特徴とする請求項２に記載のＸ線撮影装置。
【請求項４】
病院内情報システムまたは放射線科情報システムとデータの送受信を行う送受信部をさらに備え、前記送受信部は、前記病院内情報システムまたは前記放射線科情報システムから受信した前記撮影メニューを前記ジョブメモリ部に登録することを特徴とする請求項１または請求項３に記載のＸ線撮影装置。
【請求項５】
前記被検者の異なる撮影体位は、立位および臥位であることを特徴とする請求項２〜請求項４のいずれかに記載のＸ線撮影装置。
【発明の詳細な説明】
【技術分野】
【０００１】
本発明は、医療用Ｘ線撮影装置、特に、被検者の異なる撮影体位に対応する複数の撮影エリアの間において移動可能なＸ線管と、複数の撮影エリアにおいてそれぞれＸ線管に対向して配置された複数のＸ線検出器とを備えたＸ線撮影装置に関する。
【背景技術】
【０００２】
従来の医療用Ｘ線撮影装置として、例えば、被検者の立位および臥位に対応する２つの撮影エリア（立位撮影エリアおよび臥位撮影エリア）の間において移動可能なＸ線管と、立位撮影エリアおよび臥位撮影エリアにおいてそれぞれＸ線管に対向して配置された２つのＸ線検出器とを備え、Ｘ線管の撮影エリアを切り替えることによって、被検者の立位および臥位のＸ線撮影を行うようにしたものがある（例えば、特許文献１、２参照）。
【０００３】
このＸ線撮影装置が使用される場合は、通常、医師から、Ｘ線撮影装置を操作する検査技師に対して、被検者の検査部位を指定する検査オーダーが送られる。この検査オーダーには、当該検査に必要な被検者の撮影体位、撮影部位および撮影方向の異なる組み合わせからなる複数のショットおよびそれらのショットの撮影順序を指定する撮影メニューが添付されている。例えば、「胸腹部の検査」との検査オーダーが医師から出されると、その検査オーダーに添付された撮影メニューには、「立位胸部正面」、「立位胸部側面」、「立位腹部正面」および「臥位腹部側面」の各ショットをこの順序で実行すべきことが記述されている。そして、検査技師は、手動によって、撮影メニューをＸ線撮影装置のジョブメモリ部に登録する。
【０００４】
あるいは、Ｘ線撮影装置が病院内情報システム（ＨＩＳ）や放射線科情報システム（ＲＩＳ）にネットワークを介して接続されていて、医師が使用する端末装置から撮影メニューが入力されると、それらのデータがネットワークを通じてＸ線撮影装置のジョブメモリ部に自動的に登録される。
【０００５】
ところで、この種のＸ線撮影装置において、例えば、「胸腹部の検査」が２件続いた場合、各検査毎に、「立位胸部正面」、「立位胸部側面」、「立位腹部正面」および「臥位腹部側面」の各ショットをこの順序で実行するという撮影メニューがジョブメモリ部に登録される。そして、最初の検査の終了時点では、Ｘ線撮影装置は、「臥位腹部側面」の撮影を実行する配置を有し、よって、Ｘ線管は、被検者の臥位に対する撮影エリアにある。ところが、次の検査は、前の検査と同様、「立位胸部正面」から撮影が開始されるので、技師は、Ｘ線管を、被検者の立位に対する撮影エリアまで移動させねばならず、そのため、作業効率が悪く、撮影に時間がかかっていた。
【０００６】
この場合、作業の効率化、省力化のために、次の検査を、「臥位腹部側面」の撮影から開始するのが好都合であるが、予めジョブメモリ部に登録された撮影メニューを手動で変更することは非常に煩雑であり、簡単に実行することができなかった。
【先行技術文献】
【特許文献】
【０００７】
【特許文献１】特開２００４−２９８４７３号公報
【特許文献２】特開２０００−１６６９０８号公報
【発明の概要】
【発明が解決しようとする課題】
【０００８】
したがって、本発明の課題は、被検者の異なる複数の体位に応じてＸ線管の撮影エリアを切り替えて撮影を行うＸ線撮影装置において、撮影作業の効率を高め、撮影に要する時間を短縮することにある。
【課題を解決するための手段】
【０００９】
上記課題を解決するため、本発明は、被検者にＸ線を照射するＸ線管と、前記Ｘ線管を、被検者の異なる撮影体位に対応する複数の撮影エリアの間において移動可能に支持するＸ線管支持部と、前記Ｘ線管支持部に設けられた、前記Ｘ線管の位置を検出する位置検出部と、前記Ｘ線管に対して管電圧および管電流を供給する高電圧発生部と、前記複数の撮影エリアにおいてそれぞれ前記Ｘ線管に対向して配置され、前記被検者を透過するＸ線を検出し、前記被検者の透視像の画像信号を出力する複数のＸ線検出器と、前記複数のＸ線検出器をそれぞれ支持するＸ線検出器支持部と、被検者の複数のショットおよびそれらのショットの撮影順序を指定する撮影メニューの入力を受ける撮影メニュー入力部と、前記撮影メニューが登録されるジョブメモリ部と、前記位置検出部からの検出信号に基づき、撮影開始時に前記Ｘ線管がどの前記撮影エリアにあるかを検出するとともに、前記ジョブメモリ部に登録された前記撮影メニューを読み出し、当該撮影メニューに含まれる前記複数のショットの撮影順序を、前記撮影開始時の前記Ｘ線管の撮影エリアに対応するショットから順に実行されるように並び替え、前記ジョブメモリ部に登録し直す撮影順序変更部と、を備えたことを特徴とするＸ線撮影装置を構成したものである。
【００１０】
上記課題を解決するため、また、本発明は、被検者にＸ線を照射するＸ線管と、前記Ｘ線管を、被検者の異なる撮影体位に対応する複数の撮影エリアの間において移動可能に、かつ、各撮影エリアにおいて、前記被検者の異なる撮影部位および撮影方向に対応して旋回および移動可能に支持するＸ線管支持部と、前記Ｘ線管支持部に設けられた、前記Ｘ線管の位置を検出する位置検出部と、前記Ｘ線管に対して管電圧および管電流を供給する高電圧発生部と、前記複数の撮影エリアにおいてそれぞれ前記Ｘ線管に対向して配置され、前記被検者を透過するＸ線を検出し、前記被検者の透視像の画像信号を出力する複数のＸ線検出器と、前記複数のＸ線検出器をそれぞれ支持するＸ線検出器支持部と、被検者の撮影体位、撮影部位および撮影方向の異なる組み合わせからなる複数のショットおよびそれらのショットの撮影順序を指定する撮影メニューの入力を受ける撮影メニュー入力部と、前記撮影メニューが登録されるジョブメモリ部と、前記位置検出部からの検出信号に基づき、撮影開始時に前記Ｘ線管がどの前記撮影エリアにあるかを検出するとともに、前記ジョブメモリ部に登録された前記撮影メニューを読み出し、当該撮影メニューに含まれる前記複数のショットの撮影順序を、前記撮影開始時の前記Ｘ線管の撮影エリアに対応するショットから順に実行されるように並び替え、前記ジョブメモリ部に登録し直す撮影順序変更部と、を備えたことを特徴とするＸ線撮影装置を構成したものである。
【００１１】
この構成において、さらに、Ｘ線撮影装置が、前記Ｘ線検出器支持部に設けられた、前記複数のＸ線検出器のそれぞれの位置を検出するための複数の第２の位置検出部を備え、前記撮影順序変更部は、前記位置検出部および前記第２の位置検出部からの検出信号に基づき、前記撮影開始時に、前記Ｘ線管が、どの前記撮影エリアにおいて、どの前記撮影部位をどの前記撮影方向から撮影する位置にあるかを検出するとともに、前記ジョブメモリ部から読み出した前記撮影メニューに含まれる前記複数のショットの撮影順序を、前記撮影開始時の前記Ｘ線管の位置に対応するショットから順に実行されるように並び替え、前記ジョブメモリ部に登録し直すようになっていてもよい。
【００１２】
本発明の好ましい実施例によれば、前記Ｘ線撮影装置は、病院内情報システムまたは放射線科情報システムとデータの送受信を行う送受信部をさらに備え、前記送受信部は、前記病院内情報システムまたは前記放射線科情報システムから受信した前記撮影メニューを前記ジョブメモリ部に登録するようになっている。
また、前記被検者の異なる撮影体位は、好ましくは、立位および臥位である。
【発明の効果】
【００１３】
本発明によれば、被検者の異なる複数の体位に応じてＸ線管の撮影エリアを切り替えて撮影を行うＸ線撮影装置において、ジョブメモリ部に予め登録された撮影メニューに含まれるショットの順序を自動的に並べ替えることにより、次の被検者のＸ線撮影が、前の被検者の撮影終了時におけるＸ線管の撮影エリアに対応するショットから順に実行されるようにしたので、撮影作業が著しく効率化され、作業の省力化および撮影に要する時間の短縮化を図ることができる。
【図面の簡単な説明】
【００１４】
【図１】本発明の１実施例によるＸ線撮影装置の概略構成を示すブロック図である。
【図２】撮影順序変更部による各ショットの撮影順序変更の様子を説明する図である。
【図３】本発明の別の実施例によるＸ線撮影装置の概略構成を示すブロック図である。
【発明を実施するための形態】
【００１５】
以下、添付図面を参照して本発明の好ましい実施例について説明する。図１は、本発明の１実施例によるＸ線撮影装置の概略構成を示すブロック図である。図１に示すように、本発明によれば、被検者ＭにＸ線を照射するＸ線管１と、Ｘ線管１を、被検者Ｍの立位および臥位に対応する２つの撮影エリア（以下、「立位撮影エリア」および「臥位撮影エリア」とする。）の間において移動可能に、かつ、各撮影エリアにおいて、被検者Ｍの異なる撮影部位および撮影方向に対応して旋回および移動可能に支持するＸ線管支持部２が備えられる。この場合、２つの撮影エリアのいずれにおいても、Ｘ線管１を同じ姿勢に維持したままで撮影が可能な場合には、Ｘ線管支持部２は、Ｘ線管１を２つの撮影エリアの間において移動可能に支持する機能を有しているだけでよい。
【００１６】
Ｘ線管支持部２は、この実施例では、Ｘ線撮影装置が設置される部屋の天井に取り付けられたレール３と、レール３にスライド運動可能に取り付けられた移動体４と、移動体４に取り付けられた上下方向に伸縮可能なコラム５と、コラム５の下端に取り付けられたアーム（図示されない）とを有しており、このアームにＸ線管１が旋回可能に取り付けられる。
こうして、移動体４が、レール３上をスライド運動することによって、Ｘ線管１は、被検者Ｍの長手方向に沿って臥位撮影エリア（図１の実線で示す位置）と立位撮影エリア（図１の破線で示す位置）との間を移動し得る。また、各撮影エリアにおいて、被検者Ｍの異なる撮影部位および撮影方向に対応して、Ｘ線管１が上下方向に移動せしめられるとともに、アームのまわりに旋回せしめられる。なお、移動体４の運動や、Ｘ線管１の移動および旋回は、手動によって、または駆動装置によって行われる。
【００１７】
Ｘ線管支持部２には、Ｘ線管１の位置を検出する位置検出部６が設けられる。位置検出部６は、図示はしないが、移動体４の位置を検出するセンサーと、Ｘ線管１の高さ位置および旋回角度を検出するセンサーを備えている。そして、これらのセンサーの検出信号が位置検出部６に送られ、位置検出部６においてＸ線管１の現在位置が求められる。
Ｘ線管１には、高電圧発生部７から、Ｘ線照射に必要な管電圧および管電流が供給される。高電圧発生部７は、コントローラ２０によって制御される。
【００１８】
臥位撮影エリアおよび立位撮影エリアには、それぞれ、Ｘ線検出器８、９がＸ線管１に対向して配置され、被検者Ｍを透過するＸ線を検出し、被検者Ｍの透視像の画像信号を出力する。Ｘ線検出器８、９は、この実施例では、ＦＰＤ（フラットパネル型Ｘ線検出器）からなっているが、ＦＰＤの代わりに、Ｉ．Ｉ．（Ｘ線蛍光増倍管）およびＴＶカメラ、あるいはＩＰ（イメージングプレート）等の任意の公知のＸ線検出器を用いることができる。
【００１９】
各Ｘ線検出器８、９は、Ｘ線検出器支持部１０ａ、１０ｂによって支持される。この場合、臥位撮影エリアにおいては、ＦＰＤ８が、その上に被検者Ｍが載せられる支持台１０ａの天板の下側に配置され、ＦＰＤ移動機構１１によって、被検者の長手方向に沿って移動可能に支持される。また、立位撮影エリアには、床面に支柱１０ｂが立設され、ＦＰＤ９が、支柱１０ｂに設けられたＦＰＤ移動機構１２によって、上下方向に移動可能に支持される。そして、各撮影エリアにおいて、被検者Ｍの異なる撮影部位および撮影方向に対応して、ＦＰＤ８、９が、手動によってまたは駆動装置によって上下に移動せしめられる。ＦＰＤ移動機構１１、１２の駆動装置による移動は、コントローラ２０によって制御される。
【００２０】
ＦＰＤ８、９のそれぞれの出力端子にはＡ／Ｄ変換器１５、１６が接続され、Ａ／Ｄ変換器１５、１６から出力された画像データは画像処理部１７において処理される。画像処理部１７の出力端子にはＤ／Ａ変換器１８が接続され、Ｄ／Ａ変換器１８から出力された画像信号に基づいてモニタ１９にＸ線透視像が表示される。画像処理部１７は、コントローラ２０によって制御される。
【００２１】
本発明によれば、また、被検者Ｍの複数のショット（この実施例では、複数のショットは、撮影体位、撮影部位および撮影方向の異なる組み合わせからなる）およびそれらのショットの撮影順序を指定する撮影メニューの入力を受ける撮影メニュー入力部２１と、撮影メニュー入力部２１から入力された撮影メニューが登録されるジョブメモリ部２２が備えられる。
ジョブメモリ部２２に登録されたデータは、コントローラ２０に送られる。
【００２２】
さらに、位置検出部６からの検出信号に基づき、撮影開始時にＸ線管１がどの撮影エリアにあるかを検出するとともに、ジョブメモリ部２２に登録された撮影メニューを読み出し、当該撮影メニューに含まれる複数のショットの撮影順序を、撮影開始時のＸ線管の撮影エリアに対応するショットから順に実行されるように並び替え、ジョブメモリ部２２に登録し直す撮影順序変更部２３が備えられる。
【００２３】
図２は、撮影順序変更部２３による撮影メニュー中の各ショットの撮影順序変更の様子を説明する図である。この例では、３名の被検者Ａ、Ｂ、ＣのＸ線撮影がこの順番で実行される。図２の左側の列には、医師によって予め与えられた各被検者Ａ、Ｂ、Ｃの撮影メニューが示してある。図２を参照して、被検者Ａの撮影メニューには、(1)「立位胸部正面」、(2)「立位胸部側面」、(3)「立位腹部正面」、(4)「臥位腹部側面」と、各ショットの撮影順序が指定され、被検者Ｂの撮影メニューには、被検者Ａと全く同様に、(1)「立位胸部正面」、(2)「立位胸部側面」、(3)「立位腹部正面」、(4)「臥位腹部側面」と、各ショットの撮影順序が指定されている。また、被検者Ｃの撮影メニューには、(1)「臥位腹部側面」、(2)「臥位腰椎側面」、(3)「立位腹部正面」と、各ショットの撮影順序が指定されている。
【００２４】
これらの撮影メニューは、医師から検査技師に送られ、検査技師によって撮影メニュー入力部２１を通じてジョブメモリ部２２に登録される。こうして、まず、被検者Ａの撮影が開始され、撮影メニューに従って各ショットが実行される。被検者Ａの撮影は、「臥位腹部側面」のショットの実行後に終了する。
次に、被検者Ｂの撮影が開始されるとき、撮影順序変更部２３は、位置検出部６からの検出信号に基づき、Ｘ線管１が臥位撮影エリアにあることを検出する。また同時に、撮影順序変更部２３は、ジョブメモリ部２２に登録された被検者Ｂの撮影メニューを読み出し、当該撮影メニューに含まれるショットの撮影順序を、臥位撮影エリアに対応するショットから順に実行されるように、すなわち、図２の右側の列に示すように、(1)「臥位腹部側面」、(2)「立位胸部正面」、(3)「立位胸部側面」、(4)「立位腹部正面」と並び替え、ジョブメモリ部２２に登録し直す。そして、この変更された撮影メニューに従って被検者Ｂの撮影が実行される。
【００２５】
最後に、被検者Ｃの撮影の開始時、撮影順序変更部２３は、位置検出部６からの検出信号に基づき、Ｘ線管１が立位撮影エリアにあることを検出する。また同時に、撮影順序変更部２３は、ジョブメモリ部２２に登録された被検者Ｃの撮影メニューを読み出し、当該撮影メニューに含まれるショットの撮影順序を、立位撮影エリアに対応するショットから順に実行されるように、すなわち、図２の右側の列に示すように、(1)「立位腹部正面」、(2)「臥位腹部側面」、(3)「臥位腰椎側面」と並び替え、ジョブメモリ部２２に登録し直す。そして、この変更された撮影メニューに従って被検者Ｂの撮影が実行される。
【００２６】
このように、本発明のＸ線撮影装置によれば、ジョブメモリ部２２に予め登録された撮影メニューに含まれるショットの順序を自動的に並べ替え、次の被検者のＸ線撮影が、前の被検者の撮影終了時におけるＸ線管１の撮影エリアに対応するショットから順に実行されるようにしたので、撮影作業が著しく効率化され、作業の省力化および撮影に要する時間の短縮化を図ることができる。
【００２７】
図３は、本発明の別の実施例によるＸ線撮影装置の概略構成を示すブロック図である。なお、図３中、図１に示した構成要素と同じ構成要素には同一番号を付し、詳細な説明を省略する。
図１の実施例では、撮影開始時のＸ線管１の位置（臥位撮影エリアおよび立位撮影エリアのいずれにあるか）のみを考慮して、撮影メニュー中の各ショットの撮影順序が最適化されるが、図３の実施例では、撮影開始時のＸ線管１の位置とＦＰＤの位置８、９の位置の両方を考慮し、撮影メニュー中の各ショットの撮影順序が最適化される。
【００２８】
すなわち、この実施例では、支持台１０ａおよび支柱１０ｂに、それぞれ、ＦＰＤ８、９の位置を検出する位置検出部１３、１４が設けられる。位置検出部１３、１４は、図示はしないが、ＦＰＤ８、９の被検者Ｍの長手方向に沿った位置を検出するセンサーを備えており、これらのセンサーの検出信号が位置検出部１３、１４に送られ、そしてここでＦＰＤ８、９の現在位置が求められる。
そして、撮影順序変更部２３は、位置検出部６、１３、１４からの検出信号に基づいて、撮影開始時に、Ｘ線管１がどの撮影エリアにおいて、どの撮影部位をどの撮影方向から撮影する位置にあるかを検出するとともに、ジョブメモリ部２２から読み出した撮影メニューに含まれる複数のショットの撮影順序を、撮影開始時のＸ線管１の位置に対応するショットから順に実行されるように並び替え、ジョブメモリ部２２に登録し直す。
【００２９】
また、この実施例では、Ｘ線撮影装置は病院内情報システム（ＨＩＳ）または放射線科情報システム（ＲＩＳ）に接続され得るようになっており、Ｘ線撮影装置に、ＨＩＳまたはＲＩＳ２５とデータの送受信を行う送受信部２４が備えられる。そして、送受信部２４は、病院内情報システムまたは放射線科情報システム２５から受信した撮影メニューをジョブメモリ部２２に登録する。
【符号の説明】
【００３０】
１  Ｘ線管
２  Ｘ線管支持部
３  レール
４  移動体
５  コラム
６  位置検出部
７  高電圧発生部
８、９  ＦＰＤ
１０ａ  支持台
１０ｂ  支柱
１１、１２  ＦＰＤ移動機構
１３、１４  位置検出部
１５、１６  Ａ／Ｄ変換器
１７  画像処理部
１８  Ｄ／Ａ変換器
１９  モニタ
２０  コントローラ
２１  撮影メニュー入力部
２２  ジョブメモリ部
２３  撮影順序変更部
２４  送受信部
２５  病院情報システムまたは放射線科情報システム
【図１】
2010220817.tif 000003
【図２】
2010220817.tif 000004
【図３】
2010220817.tif 000005